(57)【要約】      （修正有）【課題】ＬＥＤ発光ユニットの使用率を効果よく向上させたバックライトモジュールおよびそれを備えた表示装置を提供する。【解決手段】バックライトモジュール１は、基板１０に間隔をあけて設けられる複数のＬＥＤ発光ユニット２０を含む。複数のＬＥＤ発光ユニット２０のうちの一部が、第１の発光ピーク波長を有する複数の第１の発光ユニットＡ（２１）であるとともに、他の部分が第２の発光ピーク波長を有する複数の第２の発光ユニットＣ（２２）である。第１の発光ピーク波長は、予定波長よりも小さいものであり、第２の発光ピーク波長は、予定波長よりも大きいものである。複数の第１の発光ユニットＡおよび複数の第２の発光ユニットＣは、隣接する２つのＬＥＤ発光ユニット２０のうちのいずれか一方が第１の発光ユニットＡであるとともに、他方が第２の発光ユニットＣであるように、基板１０に交互に配置する。【選択図】図１
2020188000.tif 000002
【特許請求の範囲】
【請求項１】
基板（１０）と、
前記基板（１０）に、前記基板（１０）の長手方向および幅方向に沿って間隔をあけて設けられる複数のＬＥＤ発光ユニット（２０）と、を含み、
前記複数のＬＥＤ発光ユニット（２０）のうちの一部が第１の発光ピーク波長を有する複数の第１の発光ユニットＡ（２１）であるとともに、他の部分が第２の発光ピーク波長を有する複数の第２の発光ユニットＣ（２２）であり、
前記第１の発光ピーク波長は、前記複数のＬＥＤ発光ユニット（２０）を混光した後のピーク波長である予定波長よりも小さく、前記第２の発光ピーク波長は、前記予定波長よりも大きく、
前記複数の第１の発光ユニットＡ（２１）および前記複数の第２の発光ユニットＣ（２２）は、前記基板（１０）の長手方向または幅方向に隣接する２つの前記ＬＥＤ発光ユニット（２０）のうちのいずれか一方が前記第１の発光ユニットＡ（２１）であるとともに、他方が前記第２の発光ユニットＣ（２２）であるように、前記基板（１０）の長手方向および幅方向に沿って交互に配置されている、
ことを特徴とするバックライトモジュール。
【請求項２】
前記ＬＥＤ発光ユニット（２０）は、ＬＥＤ発光デバイスである、
ことを特徴とする請求項１に記載のバックライトモジュール。
【請求項３】
前記第１の発光ピーク波長は、第１の選択可能範囲内にあり、前記第１の選択可能範囲における最大値と最小値との差は０ｎｍを超え３ｎｍ以下であり、
前記第２の発光ピーク波長は、第２の選択可能範囲内にあり、前記第２の選択可能範囲における最大値と最小値との差は、０ｎｍを超え３ｎｍ以下であり、
前記予定波長は、第３の選択可能範囲内にあり、前記第３の選択可能範囲における最大値と最小値との差は、０ｎｍを超え３ｎｍ以下である、
ことを特徴とする請求項１に記載のバックライトモジュール。
【請求項４】
前記第１の選択可能範囲は、４４１ｎｍ〜４４３ｎｍであり、
前記第２の選択可能範囲は、４４５ｎｍ〜４４７ｎｍであり、
前記第３の選択可能範囲は、４４３ｎｍ〜４４５ｎｍである、
ことを特徴とする請求項３に記載のバックライトモジュール。
【請求項５】
前記複数のＬＥＤ発光ユニット（２０）は、前記基板（１０）にマトリクス状に分布されているとともに、隣接する２つの前記ＬＥＤ発光ユニット（２０）の中心間距離が３ｍｍ以上１５ｍｍ以下である、
ことを特徴とする請求項１に記載のバックライトモジュール。
【請求項６】
前記基板（１０）は、ＦＲ４基板、アルミ基板およびＢＴ基板のうちの１種である、
ことを特徴とする請求項１に記載のバックライトモジュール。
【請求項７】
前記第１の発光ピーク波長は、第１の候補範囲内にあり、
前記第２の発光ピーク波長は、第２の候補範囲内にあり、
前記予定波長は、第３の候補範囲内にあり、
前記第３の候補範囲における最大値は、前記第１の候補範囲における最大値と前記第２の候補範囲における最大値の和の半分であり、
前記第３の候補範囲における最小値は、前記第１の候補範囲における最小値と前記第２の候補範囲における最小値の和の半分である、
ことを特徴とする請求項１に記載のバックライトモジュール。
【請求項８】
前記第１の候補範囲における最大値と最小値との差は、０ｎｍを超え３ｎｍ以下であり、
前記第２の候補範囲における最大値と最小値との差は、０ｎｍを超え３ｎｍ以下であり、
前記第３の候補範囲における最大値と最小値との差は、０ｎｍを超え３ｎｍ以下である、
ことを特徴とする請求項７に記載のバックライトモジュール。
【請求項９】
間隔をあけて設けられるバックライトモジュール（１）および光学モジュール（２）を含み、
前記バックライトモジュール（１）は、請求項１乃至８のいずれか１項に記載のバックライトモジュールであり、
前記光学モジュール（２）は、光学部品層（２０１）と変換フィルム層（２０２）と液晶ガラス層（２０３）とを含む、
ことを特徴とする表示装置。
【請求項１０】
前記バックライトモジュール（１）と前記光学モジュール（２）との間の離間距離は、２ｍｍ以上１２ｍｍ以下である、
ことを特徴とする請求項９に記載の表示装置。
【請求項１１】
前記光学部品層（２０１）は、拡散板と、拡散フィルムと、プリズムフィルムとを含み、
前記変換フィルム層（２０２）は、黄色蛍光体、緑色蛍光体、赤色蛍光体のうちの１種類または複数種類を含む蛍光体フィルム、または量子ドットフィルムである、
ことを特徴とする請求項９に記載の表示装置。
【発明の詳細な説明】
【技術分野】
【０００１】
本発明は、ＬＥＤライトによる照明技術の分野に関し、具体的には、バックライトモジュールおよびそれを備えた表示装置に関し、そのうち、主にバックライトモジュールの構造を最適化させる。
【背景技術】
【０００２】
ＬＥＤバックライトモジュールは、現在の主流となる表示技術における表示装置に対して不可欠な重要構成部品であり、その白色光の合成の基本原理としては、青色ＬＥＤ発光ユニットにより蛍光体または例えば量子ドット材料などの他の蛍光物質を励起させることにより、他の波長帯域の光を生成して、青色光と混合して白色光を形成することである。
【０００３】
蛍光物質の励起波長やＬＣＤフィルタは、青色光の波長域に対してある程度の要求があるため、ＬＥＤ発光ユニットを選択するときに、ＬＥＤ発光ユニットから発出する青色光の波長域を正確に制御する必要がある。つまり、従来、ＬＥＤバックライトモジュールを製造するためのＬＥＤ発光ユニットを選択するときに、ＬＥＤ発光ユニットから発出する青色光の波長域が予め設定された波長域にあることを確保する必要がある。ところが、ＬＥＤバックライトモジュールを製造するために大量のＬＥＤ発光ユニットを必要とするので、全てのＬＥＤ発光ユニットの発光ピーク波長をいずれも予め設定された波長域内にあるようにすると、すなわち、単一の波長仕様のＬＥＤ発光ユニットを用いてＬＥＤバックライトモジュールを製造すると、発光ピーク波長が予め設定された波長域外にあるＬＥＤ発光ユニットはいずれも不合格品となり正常に使用することができないため、ＬＥＤ発光ユニットの有効使用率が大きく低下し、これによりＬＥＤバックライトモジュールの製造コストが著しく上昇し、表示装置の経済性および市場競争力に非常に不利である。
【発明の概要】
【発明が解決しようとする課題】
【０００４】
本発明は、主に従来技術におけるＬＥＤバックライトモジュールの製造時にＬＥＤ発光ユニットの有効使用率が低くなりすぎることにより、ＬＥＤバックライトモジュールの製造コストが著しく上昇し、表示装置の経済性および市場競争力に不利であるという問題を解決するための、バックライトモジュールおよびそれを備えた表示装置を提供することを目的とする。
【課題を解決するための手段】
【０００５】
上記の目的を達成できるように、本発明の一方の側面によれば、基板と、基板にその長手方向および幅方向に沿って間隔をあけて設けられる複数のＬＥＤ発光ユニットと、を含み、複数のＬＥＤ発光ユニットのうちの一部が第１の発光ピーク波長を有する複数の第１の発光ユニットＡであるとともに、他の部分が第２の発光ピーク波長を有する複数の第２の発光ユニットＣであり、第１の発光ピーク波長は、複数のＬＥＤ発光ユニットを混光した後のピーク波長である予定波長よりも小さく、第２の発光ピーク波長は、予定波長よりも大きく、複数の第１の発光ユニットＡおよび複数の第２の発光ユニットＣは、基板の長手方向または幅方向に隣接する２つのＬＥＤ発光ユニットのうちのいずれか一方が第１の発光ユニットＡであるとともに、他方が第２の発光ユニットＣであるように、基板の長手方向および幅方向に沿って交互に配置されているバックライトモジュールを提供する。
【０００６】
さらに、ＬＥＤ発光ユニットは、ＬＥＤ発光デバイスである。
【０００７】
さらに、第１の発光ピーク波長は、第１の選択可能範囲内にあり、第１の選択可能範囲における最大値と最小値との差は、０ｎｍを超え３ｎｍ以下であり、第２の発光ピーク波長は、第２の選択可能範囲内にあり、第２の選択可能範囲における最大値と最小値との差は、０ｎｍを超え３ｎｍ以下であり、予定波長は、第３の選択可能範囲内にあり、第３の選択可能範囲における最大値と最小値との差は、０ｎｍを超え３ｎｍ以下である。
【０００８】
さらに、第１の選択可能範囲は、４４１ｎｍ〜４４３ｎｍであり、第２の選択可能範囲は、４４５ｎｍ〜４４７ｎｍであり、第３の選択可能範囲は、４４３ｎｍ〜４４５ｎｍである。
【０００９】
さらに、複数のＬＥＤ発光ユニットは、基板にマトリクス状に分布されているとともに、隣接する２つのＬＥＤ発光ユニットの中心間距離が３ｍｍ以上１５ｍｍ以下である。
【００１０】
さらに、基板は、ＦＲ４基板、アルミ基板およびＢＴ基板のうちの１種である。
【００１１】
さらに、第１の発光ピーク波長は、第１の候補範囲内にあり、第２の発光ピーク波長は、第２の候補範囲内にあり、予定波長は、第３の候補範囲内にあり、第３の候補範囲における最大値は、第１の候補範囲における最大値と第２の候補範囲における最大値の和の半分であり、第３の候補範囲における最小値は、第１の候補範囲における最小値と第２の候補範囲における最小値の和の半分である。
【００１２】
さらに、第１の候補範囲における最大値と最小値との差は、０ｎｍを超え３ｎｍ以下であり、第２の候補範囲における最大値と最小値との差は、０ｎｍを超え３ｎｍ以下であり、第３の候補範囲における最大値と最小値との差は、０ｎｍを超え３ｎｍ以下である。
【００１３】
また、本発明の他方の側面によれば、間隔をあけて設けられるバックライトモジュールおよび光学モジュールを含み、バックライトモジュールは、上記のバックライトモジュールであり、光学モジュールは、光学部品層と、変換フィルム層と、液晶ガラス層とを含む表示装置を提供する。
【００１４】
さらに、バックライトモジュールと光学モジュールとの間の離間距離は、２ｍｍ以上１２ｍｍ以下である。
【００１５】
さらに、光学部品層は、拡散板と、拡散フィルムと、プリズムフィルムとを含み、変換フィルム層は、黄色蛍光体、緑色蛍光体、赤色蛍光体のうちの１種類または複数種類を含む蛍光体フィルム、または量子ドットフィルムである。
【発明の効果】
【００１６】
本発明の技術手段によれば、ピーク波長がバックライトモジュールの製造に必要な予定波長の範囲内でないＬＥＤ発光ユニットを分類し、すなわち、このようなＬＥＤ発光ユニットを第１の発光ピーク波長を有する複数の第１の発光ユニットＡと、第２の発光ピーク波長を有する複数の第２の発光ユニットＣとに分類し、その後、複数の第１の発光ユニットＡおよび複数の第２の発光ユニットＣを適切に配列し、すなわち、複数の第１の発光ユニットＡおよび複数の第２の発光ユニットＣを、基板の長手方向または幅方向に隣接する２つのＬＥＤ発光ユニットのうちのいずれか一方が第１の発光ユニットＡであるとともに、他方が第２の発光ユニットＣであるように、基板の長手方向および幅方向に沿って交互に配置することにより、第１の発光ユニットＡの第１の発光ピーク波長が予定波長よりも小さく、第２の発光ユニットＣの第２の発光ピーク波長が予定波長よりも大きいので、隣接する第１の発光ユニットＡおよび第２の発光ユニットＣを混光した後のピーク波長をバックライトモジュールの製造に必要な予定波長の範囲内にすることができ、バックライトモジュールの設計要求を満足できるとともに、ＬＥＤ発光ユニットの使用率を効果よく向上させ、廃棄されるＬＥＤ発光ユニットの数量を減少させ、ひいてはバックライトモジュールの製造コストを低減させることができ、表示装置の経済性および市場競争力の向上に有利である。
【図面の簡単な説明】
【００１７】
本発明の一部を構成する図面は、本発明に対する更なる理解を容易にするためのものであり、本発明において例示した実施例およびその説明は、本発明を解釈するためのものであり、本発明を不当に限定するものではない。図面において、
【図１】図１は、本発明の１つの好適な実施例に係るバックライトモジュールにおける複数の第１の発光ユニットＡおよび複数の第２の発光ユニットＣの分布を示す図である。
【図２】図２は、図１における第１の発光ユニットＡの波長強度特性曲線Ｓ１、第２の発光ユニットＣの波長強度特性曲線Ｓ２、および第１の発光ユニットＡと第２の発光ユニットＣとを合成した波長強度特性曲線Ｓを含む波長強度特性曲線を示す図である。
【図３】図３は、本発明の１つの好適な実施例に係る図１のバックライトモジュールを備える表示装置の一部の構造を示す図である。
【発明を実施するための形態】
【００１８】
以下、本発明の実施例の技術内容について図面を参照しながら明瞭かつ完全に説明するが、以下に説明する実施例は、本発明の全ての実施例ではなく、その一部の実施例に過ぎないことは言うまでもない。また、以下の少なくとも１つの例示的な実施例についての記載は、実際には説明のためのものに過ぎず、本発明およびその応用または使用に対して何ら制限されるものではない。また、当業者が本発明の実施例に基づいて創造的な労働を付与せずに得られる他の実施例も全て本発明の保護範囲に含まれる。
【００１９】
本発明は、従来技術におけるＬＥＤバックライトモジュールの製造時にＬＥＤ発光ユニットの有効使用率が低くなりすぎることにより、ＬＥＤバックライトモジュールの製造コストが著しく上昇し、表示装置の経済性および市場競争力に不利であるという問題を解決するために、バックライトモジュールおよびそれを備えた表示装置を提供する。また、表示装置は、図３に示すように、間隔をあけて設置されたバックライトモジュール１および光学モジュール２を含む。そのうち、バックライトモジュール１は、前述および後述のバックライトモジュールであり、光学モジュール２は、光学部品層２０１と、変換フィルム層２０２と、液晶ガラス層２０３とを含む。
【００２０】
バックライトモジュール１は、図１に示すように、基板１０と、基板１０にその長手方向および幅方向に沿って間隔をあけて設けられる複数のＬＥＤ発光ユニット２０とを含む。複数のＬＥＤ発光ユニット２０は、そのうちの一部が第１の発光ピーク波長を有する複数の第１の発光ユニットＡ２１であるとともに、他の部分が第２の発光ピーク波長を有する複数の第２の発光ユニットＣ２２である。ここで、第１の発光ピーク波長は、複数のＬＥＤ発光ユニット２０を混光した後のピーク波長である予定波長よりも小さいものであり、第２の発光ピーク波長は、予定波長よりも大きいものである。また、複数の第１の発光ユニットＡ２１および複数の第２の発光ユニットＣ２２は、基板１０の長手方向または幅方向に隣接する２つのＬＥＤ発光ユニット２０のうちのいずれか一方が第１の発光ユニットＡ２１であるとともに、他方が第２の発光ユニットＣ２２であるように、基板１０の長手方向および幅方向に沿って交互に配置されている。
【００２１】
ピーク波長がバックライトモジュール１の製造に必要な予定波長の範囲内でないＬＥＤ発光ユニット２０を分類し、すなわち、この部分のＬＥＤ発光ユニット２０を第１の発光ピーク波長を有する複数の第１の発光ユニットＡ２１と、第２の発光ピーク波長を有する複数の第２の発光ユニットＣ２２とに分類し、その後、複数の第１の発光ユニットＡ２１および複数の第２の発光ユニットＣ２２を適切に配列し、すなわち、複数の第１の発光ユニットＡ２１および複数の第２の発光ユニットＣ２２を、基板１０の長手方向または幅方向に隣接する２つのＬＥＤ発光ユニット２０のうちのいずれか一方が第１の発光ユニットＡ２１であるとともに、他方が第２の発光ユニットＣ２２であるように、基板１０の長手方向および幅方向に沿って交互に配置することにより、第１の発光ユニットＡ２１の第１の発光ピーク波長が予定波長よりも小さく、第２の発光ユニットＣ２２の第２の発光ピーク波長が予定波長よりも大きいので、隣接する第１の発光ユニットＡ２１および第２の発光ユニットＣ２２を混光した後のピーク波長をバックライトモジュール１の製造に必要な予定波長の範囲内にすることができ、バックライトモジュール１の設計要求を満足できるとともに、ＬＥＤ発光ユニット２０の使用率を効果よく向上させ、廃棄されるＬＥＤ発光ユニット２０の数量を減少させ、ひいてはバックライトモジュール１の製造コストを低減させることができ、表示装置の経済性および市場競争力の向上に有利である。
【００２２】
なお、バックライトモジュール１の製造時には、複数のＬＥＤ発光ユニット２０を基板１０に設け、複数のＬＥＤ発光ユニット２０は複数の第１の発光ユニットＡ２１と複数の第２の発光ユニットＣ２２を含むが、基板１０に設けられる発光ユニットは、この２種類に限定されず、ピーク波長が予定波長である基準発光ユニットを設けてもよい。このように構成されるバックライトモジュール１も、本発明の保護範囲に含まれる。
【００２３】
図２は、図１における第１の発光ユニットＡの波長強度特性曲線Ｓ１、第２の発光ユニットＣの波長強度特性曲線Ｓ２、および第１の発光ユニットＡと第２の発光ユニットＣとを合成した波長強度特性曲線Ｓを含む波長強度特性曲線を示す図である。図２に示すように、第１の発光ユニットＡと第２の発光ユニットＣとを合成した波長強度特性曲線Ｓは、第１の発光ユニットＡの波長強度特性曲線Ｓ１および第２の発光ユニットＣの波長強度特性曲線Ｓ２より格段に優れるので、波長強度特性曲線Ｓはより適切であり、バックライトモジュール１の製造要求を満足することができる。
【００２４】
また、ＬＥＤ発光ユニット２０は、ＬＥＤ発光デバイスまたはＬＥＤ発光チップであることが好ましい。ここで、ＬＥＤ発光デバイスは、ホルダーと、ホルダー内に位置するＬＥＤチップと、ＬＥＤチップを覆う封止コロイドとを備える。また、本発明の好適な実施例では、ＬＥＤ発光デバイスは、ＬＥＤチップと、ＬＥＤチップを覆う封止コロイドとを備えるようにしてもよい。
【００２５】
さらに、ＬＥＤ発光ユニット２０は、青色ＬＥＤ発光デバイスまたは青色ＬＥＤ発光チップであることが好ましい。ＬＥＤ発光デバイスは、優れた発光性能を有し、より広く使用されるので、青色ＬＥＤ発光ユニットを用いて製造されるバックライトモジュール１に対して、製品をよりピンポイントで保護することができる。
【００２６】
本発明の好適な実施例では、第１の発光ピーク波長は、第１の選択可能範囲内にあり、第１の選択可能範囲における最大値と最小値との差が０ｎｍを超え３ｎｍ以下である。また、第２の発光ピーク波長は、第２の選択可能範囲内にあり、第２の選択可能範囲における最大値と最小値との差が０ｎｍを超え３ｎｍ以下である。予定波長は、第３の選択可能範囲内にあり、第３の選択可能範囲における最大値と最小値との差が０ｎｍを超え３ｎｍ以下である。このように、ピーク波長が予定波長から大きくずれたＬＥＤ発光ユニット２０を適切に利用して、バックライトモジュール１の製造コストを低下させ、表示装置の経済性を向上させる点でより有利である。
【００２７】
また、第１の選択可能範囲は４４１ｎｍ〜４４３ｎｍであり、第２の選択可能範囲は４４５ｎｍ〜４４７ｎｍであり、第３の選択可能範囲は４４３ｎｍ〜４４５ｎｍであることが好ましい。
【００２８】
図１に示すように、複数のＬＥＤ発光ユニット２０は、基板１０にマトリクス状に分布されているとともに、隣接する２つのＬＥＤ発光ユニット２０の中心間距離が３ｍｍ以上１５ｍｍ以下である。複数のＬＥＤ発光ユニット２０の間のピッチ（Ｐｉｔｃｈ）値の範囲を最適化することにより、バックライトモジュール１の発光性能をより正確に制御して、表示装置の画面表示効果を向上させることができる。
【００２９】
異なる表示装置の製造に対応でき、バックライトモジュール１の実用性を向上させるために、基板１０は、ＦＲ４基板、アルミ基板およびＢＴ基板のいずれか１種であることが好ましい。
【００３０】
本発明がさらに提供する１つの好適な実施例では、第１の発光ピーク波長が第１の候補範囲内にあり、第２の発光ピーク波長が第２の候補範囲内にあり、予定波長が第３の候補範囲内にあるとともに、第３の候補範囲における最大値が第１の候補範囲における最大値と第２の候補範囲における最大値の和の半分であり、第３の候補範囲における最小値が第１の候補範囲における最小値と第２の候補範囲における最小値の和の半分である。
【００３１】
また、第１の候補範囲における最大値と最小値との差が０ｎｍを超え３ｎｍ以下であり、第２の候補範囲における最大値と最小値との差が０ｎｍを超え３ｎｍ以下であり、第３の候補範囲における最大値と最小値との差が０ｎｍを超え３ｎｍ以下であることが好ましい。
【００３２】
また、予定波長は、第１の発光ピーク波長と第２の発光ピーク波長の和の半分であることが好ましい。
【００３３】
図３に示すように、バックライトモジュール１と光学モジュール２との間の離間距離は、２ｍｍ以上１２ｍｍ以下である。表示装置のＯＤ値（すなわち、混光距離）を最適化させることにより、バックライトモジュール１の発光性能を向上させることに有利であって、表示装置の現像性能を向上させる。
【００３４】
図３に示すように、光学部品層２０１は、拡散板と、拡散フィルムと、プリズムフィルムとを含み、変換フィルム層２０２は、黄色蛍光体、緑色蛍光体、赤色蛍光体のうちの１種類または複数種類を含む蛍光体フィルム、または量子ドットフィルムである。
【００３５】
なお、ここで用いた用語は、本発明を実施するための形態を説明するためのものであり、本発明に係る例示的な実施例に限定される意図ではない。また、ここで使用されたように、本明細書において特に明示しない限り、単数の形態には複数の形態も含まれる。また、本明細書において「包含」および／または「含む」の用語を使用する場合、特徴、ステップ、動作、デバイス、コンポーネントおよび／またはそれらの組み合わせを明示するものであると理解すべきである。
【００３６】
また、特に断りのない限り、これらの実施例において説明した部材およびステップの相対的配置、数式および数値は、本発明の範囲を限定するものではない。なお、説明の便宜上、各図に示される各部の寸法は、実際の比例関係に従って描かれているものではないことは言うまでもない。また、当業者にとっては既知の技術、方法および機器については、詳細に説明していないが、適切な場合には、前記技術、方法および機器は登録公告される明細書の一部であると見なされるべきである。ここで記載および説明した全ての例示において、任意の具体的な値は、あくまでも例示であって制限的なものではないと解釈されるべきである。よって、例示的な実施例以外の例示では、異なる値を有していてもよい。なお、類似する符号およびアルファベットは、以下の図面において類似するものを示すので、いずれか１つがある図面で定義されると、その後の図面においてそれ以上の説明が不要となる。
【００３７】
説明の便宜上、例えば「・・・の上にある」、「・・・の上方にある」、「・・・の上面にある」、「上面の」などの空間相対的な用語を用いて、図中に示す１つのデバイスまたは特徴と他のデバイスまたは特徴との空間的位置関係を説明することができる。空間相対的な用語とは、デバイスが使用または動作中に図示した方位以外の異なる方位にあることを包含することを意図している。例えば、図中においてデバイスが反転されると、「他のデバイスや構造の上方にある」や「他のデバイスや構造の上にある」と記載されるデバイスは、その後で「他のデバイスや構造の下方にある」や「他のデバイスや構造の下にある」と位置決められる。したがって、例示的な用語の「・・・の上方にある」には、「・・・の上方にある」および「・・・の下方にある」の２つの方位が含まれる。当該デバイスは、他の異なる方式（９０度回転し、または他の方位にある）で位置決めされ、かつ、ここで使用された空間相対的な記載に対応して説明するようにしてもよい。
【００３８】
なお、本願の明細書および特許請求の範囲、並びに上記の図面における「第１」、「第２」等の用語は、類似する対象を区別するためのものであり、必ずしも特定の順序や優先順位を意味するものではない。なお、このように使用するデータは、ここで説明した本発明の実施例をここで図示や説明した以外の順序で実施できるように、適宜に交換してもよいと理解すべきである。
【００３９】
以上は、本発明の好適な実施例に過ぎず、本発明を限定するものではなく、当業者であれば、本発明に種々の変更や変化を加えることが可能である。本発明の精神と原則内で行われるいかなる修正、均等置換、改善などは、いずれも本発明の保護範囲内に含まれるべきである。
【符号の説明】
【００４０】
１…バックライトモジュール、１０…基板、２０…ＬＥＤ発光ユニット、２１…第１の発光ユニットＡ、２２…第２の発光ユニットＣ、２…光学モジュール、２０１…光学部品層、２０２…変換フィルム層、２０３…液晶ガラス層。
【図１】
2020188000.tif 000003
【図２】
2020188000.tif 000004
【図３】
2020188000.tif 000005